(57)【特許請求の範囲】
【請求項１】
放電灯に駆動電流を供給する放電灯駆動部と、
前記放電灯駆動部を制御する制御部と、
前記放電灯の電極間電圧を検出する電圧検出部と、
を備え、
前記制御部は、
前記放電灯に直流電流と交流電流とを含む前記駆動電流を供給する第１制御および第２制御を実行可能であり、
所定の設定タイミングにおいて前記電極間電圧が閾値電圧以下である場合、前記第１制御を実行し、
前記所定の設定タイミングにおいて前記電極間電圧が前記閾値電圧よりも大きい場合、前記第２制御を実行し、
前記第２制御における前記直流電流の割合は、前記第１制御における前記直流電流の割合よりも大きく、
前記第１制御における前記交流電流は、第１周波数を有する第１交流電流と、前記第１周波数よりも低い第２周波数を有する第２交流電流と、を含み、
前記制御部は、
前記閾値電圧が所定値以下である場合、前記第２交流電流の割合を前記第１交流電流の割合よりも大きくし、
前記閾値電圧が所定値よりも大きい場合、前記第１交流電流の割合を前記第２交流電流の割合よりも大きくすることを特徴とする放電灯駆動装置。
【請求項２】
請求項１に記載の放電灯駆動装置であって、
前記第２制御において前記直流電流が供給される直流期間の合計長さは、前記第１制御において前記直流電流が供給される直流期間の合計長さよりも大きい、放電灯駆動装置。
【請求項３】
請求項１または２に記載の放電灯駆動装置であって、
前記第１周波数は、５００Ｈｚ以上である、放電灯駆動装置。
【請求項４】
請求項１から３のいずれか一項に記載の放電灯駆動装置であって、
前記第２周波数は、２８０Ｈｚ以下である、放電灯駆動装置。
【請求項５】
請求項１から４のいずれか一項に記載の放電灯駆動装置であって、
前記所定の設定タイミングは、所定時間ごとに設けられる、放電灯駆動装置。
【請求項６】
光を射出する前記放電灯と、
請求項１から５のいずれか一項に記載の放電灯駆動装置と、
を備えることを特徴とする光源装置。
【請求項７】
請求項６に記載の光源装置と、
前記光源装置から射出される光を映像信号に応じて変調する光変調素子と、
前記光変調素子により変調された光を投射する投射光学系と、
を備えることを特徴とするプロジェクター。
【請求項８】
放電灯に駆動電流を供給して、前記放電灯を駆動させる放電灯駆動方法であって、
前記放電灯の電極間電圧を検出するステップと、
所定の設定タイミングにおいて前記電極間電圧が閾値電圧以下である場合、前記放電灯に直流電流と交流電流とを含む駆動電流を供給する第１制御を実行するステップと、
前記所定の設定タイミングにおいて前記電極間電圧が前記閾値電圧よりも大きい場合、前記放電灯に直流電流と交流電流とを含む駆動電流を供給する第２制御を実行するステップと、
を含み、
前記第２制御における前記直流電流の割合は、前記第１制御における前記直流電流の割合よりも大きく、
前記第１制御における前記交流電流は、第１周波数を有する第１交流電流と、前記第１周波数よりも低い第２周波数を有する第２交流電流と、を含み、
前記閾値電圧が所定値以下である場合、前記第２交流電流の割合を前記第１交流電流の割合よりも大きくし、
前記閾値電圧が所定値よりも大きい場合、前記第１交流電流の割合を前記第２交流電流の割合よりも大きくすることを特徴とする放電灯駆動方法。
【発明の詳細な説明】
【技術分野】
【０００１】
本発明は、放電灯駆動装置、光源装置、プロジェクターおよび放電灯駆動方法に関する。
【背景技術】
【０００２】
例えば、特許文献１には、定常点灯周波数を有する交流電流と、定常点灯周波数よりも低い周波数を有する交流電流と、を放電ランプに供給して、放電ランプの電極先端に突起を形成させる放電ランプ点灯装置が記載されている。
【先行技術文献】
【特許文献】
【０００３】
【特許文献１】特開２００６−５９７９０号公報
【発明の概要】
【発明が解決しようとする課題】
【０００４】
ところで、放電ランプ（放電灯）の電極先端の突起は、劣化するのに伴って形成されにくくなる。そのため、上記のような放電ランプの駆動方法では、放電ランプが劣化した場合に、安定した電極形状を維持しにくい。これにより、放電ランプの寿命を十分に向上できない虞があった。
【０００５】
本発明の一つの態様は、上記問題点に鑑みて成されたものであって、放電灯の寿命を向上できる放電灯駆動装置、そのような放電灯駆動装置を備えた光源装置、およびそのような光源装置を備えたプロジェクターを提供することを目的の一つとする。また、本発明の一つの態様は、放電灯の寿命を向上できる放電灯駆動方法を提供することを目的の一つとする。
【課題を解決するための手段】
【０００６】
本発明の放電灯駆動装置の一つの態様は、放電灯に駆動電流を供給する放電灯駆動部と、前記放電灯駆動部を制御する制御部と、前記放電灯の電極間電圧を検出する電圧検出部と、を備え、前記制御部は、前記放電灯に直流電流と交流電流とを含む前記駆動電流を供給する第１制御および第２制御を実行可能であり、所定の設定タイミングにおいて前記電極間電圧が閾値電圧以下である場合、前記第１制御を実行し、前記所定の設定タイミングにおいて前記電極間電圧が前記閾値電圧よりも大きい場合、前記第２制御を実行し、前記第２制御における前記直流電流の割合は、前記第１制御における前記直流電流の割合よりも大きいことを特徴とする。
【０００７】
本発明の放電灯駆動装置の一つの態様によれば、電極間電圧に応じて第１制御と第２制御とが適宜実行される。第２制御における直流電流の割合は、第１制御における直流電流の割合よりも大きい。そのため、第１制御によって放電灯の電極先端の突起が損耗して電極間電圧が閾値電圧より大きくなった場合に、第１制御よりも直流電流の割合が大きい第２制御に切り替えることで、突起を成長させることができる。
【０００８】
ここで、例えば、第２制御に切り替えた後、第２制御で放電灯駆動部を制御し続けると、電極が溶融される結果、突起は形成されるが、突起が形成される電極本体が損耗し、安定した電極の形状が維持できなくなる。
これに対して、本発明の放電灯駆動装置の一つの態様によれば、第２制御に切り替えた後、突起が成長して電極間電圧が閾値電圧以下となった場合には、放電灯駆動部の制御方法は、再び第１制御に切り替えられる。これにより、電極本体の損耗を抑制できる。また、電極間電圧を、閾値電圧を中心とした一定範囲内に維持できる。
【０００９】
以上のようにして、本発明の放電灯駆動装置の一つの態様によれば、第１制御と第２制御とを適宜切り替えることで、電極間電圧を一定範囲に維持しつつ、安定した電極形状を維持することができる。その結果、放電灯の寿命を向上できる。
【００１０】
前記第１制御における前記交流電流は、第１周波数を有する第１交流電流と、前記第１周波数よりも低い第２周波数を有する第２交流電流と、を含み、前記制御部は、前記閾値電圧に基づいて、前記第１交流電流の割合と、前記第２交流電流の割合と、を調整する構成としてもよい。
この構成によれば、閾値電圧の大きさに基づいて、第１制御における駆動電流波形を適切に設定できるため、放電灯の寿命をより向上できる。
【００１１】
前記制御部は、前記閾値電圧が所定値以下である場合、前記第２交流電流の割合を前記第１交流電流の割合よりも大きくし、前記閾値電圧が所定値よりも大きい場合、前記第１交流電流の割合を前記第２交流電流の割合よりも大きくする構成としてもよい。
この構成によれば、閾値電圧が所定値以下か否かを判定することによって、閾値電圧に対して第１制御を適切に設定できる。
【００１２】
前記第１周波数は、５００Ｈｚ以上である構成としてもよい。
この構成によれば、電極が過度に損耗することを抑制できる。
【００１３】
前記第２周波数は、２８０Ｈｚ以下である構成としてもよい。
この構成によれば、電極が過度に成長することを抑制できる。
【００１４】
前記所定の設定タイミングは、所定時間ごとに設けられる構成としてもよい。
この構成によれば、第１制御と第２制御とをある程度の時間ずつ交互に実行できるため、安定した電極形状を維持しやすい。
【００１５】
本発明の光源装置の一つの態様は、光を射出する前記放電灯と、上記の放電灯駆動装置と、を備えることを特徴とする。
【００１６】
本発明の光源装置の一つの態様によれば、上記放電灯駆動装置を備えるため、放電灯の寿命を向上できる。
【００１７】
本発明のプロジェクターの一つの態様は、上記の光源装置と、前記光源装置から射出される光を映像信号に応じて変調する光変調素子と、前記光変調素子により変調された光を投射する投射光学系と、を備えることを特徴とする。
【００１８】
本発明のプロジェクターの一つの態様によれば、上記の光源装置を備えるため、放電灯の寿命を向上できる。
【００１９】
本発明の放電灯駆動方法の一つの態様は、放電灯に駆動電流を供給して、前記放電灯を駆動させる放電灯駆動方法であって、前記放電灯に直流電流と交流電流とを含む前記駆動電流を供給する第１制御および第２制御を含み、所定の設定タイミングにおいて前記電極間電圧が閾値電圧以下である場合、前記第１制御を実行し、前記所定の設定タイミングにおいて前記電極間電圧が前記閾値電圧よりも大きい場合、前記第２制御を実行し、前記第２制御における前記直流電流の割合は、前記第１制御における前記直流電流の割合よりも大きいことを特徴とする。
【００２０】
本発明の放電灯駆動方法の一つの態様によれば、上記と同様にして、放電灯の寿命を向上できる。
【図面の簡単な説明】
【００２１】
【図１】本実施形態のプロジェクターの概略構成図である。
【図２】本実施形態における放電灯の断面図である。
【図３】本実施形態のプロジェクターの各種構成要素を示すブロック図である。
【図４】本実施形態の放電灯点灯装置の回路図である。
【図５】本実施形態の制御部の一構成例を示すブロック図である。
【図６】放電灯の電極先端の突起の様子を示す図である。
【図７】本実施形態の制御部による放電灯駆動部の制御手順の一例を示すフローチャートである。
【図８】本実施形態の駆動電流波形の一例を示す図である。
【図９】本実施形態の駆動電流波形の一例を示す図である。
【図１０】放電灯の電極の変化を示す図である。
【発明を実施するための形態】
【００２２】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２３】
図１に示すように、本実施形態のプロジェクター５００は、光源装置２００と、平行化レンズ３０５と、照明光学系３１０と、色分離光学系３２０と、３つの液晶ライトバルブ（光変調素子）３３０Ｒ，３３０Ｇ，３３０Ｂと、クロスダイクロイックプリズム３４０と、投射光学系３５０と、を備えている。
【００２４】
光源装置２００から射出された光は、平行化レンズ３０５を通過して照明光学系３１０に入射する。平行化レンズ３０５は、光源装置２００からの光を平行化する。
【００２５】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００２６】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、映像信号に応じてそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側および光射出側に配置される。
【００２７】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００２８】
図２は、光源装置２００の構成を示す断面図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡５０と、を備えている。
【００２９】
放電灯点灯装置１０は、放電灯９０に駆動電流Ｉを供給して放電灯９０を点灯させる。主反射鏡１１２は、放電灯９０から放出された光を照射方向Ｄに向けて反射する。照射方向Ｄは、放電灯９０の光軸ＡＸと平行である。
【００３０】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００３１】
放電空間９１には、第１電極（電極）９２および第２電極（電極）９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００３２】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３３】
第１端子５３６および第２端子５４６は、放電灯点灯装置１０に接続されている。放電灯点灯装置１０は、第１端子５３６および第２端子５４６に、放電灯９０を駆動するための駆動電流Ｉを供給する。その結果、第１電極９２および第２電極９３の間でアーク放電が起きる。アーク放電により発生した光（放電光）は、破線の矢印で示すように、放電位置から全方向に向かって放射される。
【００３４】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００３５】
副反射鏡５０は、固定部材５２２により、放電灯９０の第２端部９０ｅ２側に固定されている。副反射鏡５０の反射面（放電灯９０側の面）の形状は、放電空間９１の第２端部９０ｅ２側の部分を囲む球面形状である。副反射鏡５０は、放電光のうち、主反射鏡１１２が配置された側と反対側に向かって進む光を主反射鏡１１２に向かって反射する。これにより、放電空間９１から放射される光の利用効率を高めることができる。
【００３６】
固定部材１１４，５２２の材料は、放電灯９０からの発熱に耐え得る耐熱材料である範囲内において、特に限定されず、例えば、無機接着剤である。主反射鏡１１２および副反射鏡５０と放電灯９０との配置を固定する方法としては、主反射鏡１１２および副反射鏡５０を放電灯９０に固定する方法に限らず、任意の方法を採用できる。例えば、放電灯９０と主反射鏡１１２とを、独立にプロジェクター５００の筐体（図示せず）に固定してもよい。副反射鏡５０についても同様である。
【００３７】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Central Processing Unit）５８０と、を備えている。
【００３８】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００３９】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００４０】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００４１】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００４２】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００４３】
ＣＰＵ５８０は、プロジェクター５００の点灯開始から消灯に至るまでの各種の動作を制御する。例えば、図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００４４】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、動作検出部６０と、イグナイター回路７０と、を備えている。
【００４５】
電力制御回路２０は、放電灯９０に供給する駆動電力を生成する。本実施形態においては、電力制御回路２０は、直流電源装置８０からの電圧を入力とし、入力電圧を降圧して直流電流Ｉｄを出力するダウンチョッパー回路で構成されている。
【００４６】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００４７】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００４８】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００４９】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００５０】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００５１】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００５２】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００５３】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００５４】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値（駆動電力の電力値）、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００５５】
制御部４０は、放電灯駆動部２３０の制御方法として、放電灯９０に直流電流と交流電流とを含む駆動電流Ｉを供給する第１制御および第２制御を実行可能である。制御部４０は、ランプ電圧（電極間電圧）Ｖｌａに基づいて、第１制御および第２制御のうちのいずれかの制御方法を選択し、放電灯駆動部２３０を制御する。詳細については、後述する。
【００５６】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００５７】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧Ｖｌａおよび駆動電流Ｉに基づき、電力制御回路コントローラー４２および極性反転回路コントローラー４３を制御してもよい。
【００５８】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、基本周波数、波形、変調パターン等の駆動パラメーターに関する情報が格納されていてもよい。基本周波数とは、定常点灯モードにおいて、放電灯９０に供給される駆動電流Ｉの周波数である。
【００５９】
本実施形態において記憶部４４には、例えば、第１制御および第２制御のそれぞれにおいて放電灯９０に供給される駆動電流Ｉの駆動電流波形、後述する第１制御および第２制御の選択に用いる閾値電圧Ｖｌａ１の値、等が記憶されている。
【００６０】
電力制御回路コントローラー４２は、システムコントローラー４１からの制御信号に基づき、電力制御回路２０へ電流制御信号を出力することにより、電力制御回路２０を制御する。
【００６１】
極性反転回路コントローラー４３は、システムコントローラー４１からの制御信号に基づき、極性反転回路３０へ極性反転制御信号を出力することにより、極性反転回路３０を制御する。
【００６２】
制御部４０は、専用回路を用いて実現され、上述した制御や後述する処理の各種制御を行うようにすることができる。これに対して、制御部４０は、例えば、ＣＰＵが記憶部４４に記憶された制御プログラムを実行することによりコンピューターとして機能し、これらの処理の各種制御を行うようにすることもできる。
【００６３】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００６４】
図４に示した例では、制御部４０は、放電灯点灯装置１０の一部として構成されている。これに対して、制御部４０の機能の一部をＣＰＵ５８０が担うように構成されていてもよい。
【００６５】
動作検出部６０は、本実施形態においては、放電灯９０のランプ電圧Ｖｌａを検出して制御部４０にランプ電圧情報を出力する電圧検出部を含む。また、動作検出部６０は、駆動電流Ｉを検出して制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００６６】
本実施形態において、動作検出部６０の電圧検出部は、放電灯９０と並列に、互いに直列接続された第１の抵抗６１および第２の抵抗６２で分圧した電圧によりランプ電圧Ｖｌａを検出する。また、本実施形態において、電流検出部は、放電灯９０に直列に接続された第３の抵抗６３に発生する電圧により駆動電流Ｉを検出する。
【００６７】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００６８】
図６（Ａ），（Ｂ）には、第１電極９２および第２電極９３の先端部分が示されている。第１電極９２および第２電極９３の先端にはそれぞれ突起５５２ｐ，５６２ｐが形成されている。突起５５２ｐは、第１電極９２の電極本体９２ａから第２電極９３の側に突出している。突起５６２ｐは、第２電極９３の電極本体９３ａから第１電極９２の側に突出している。
【００６９】
第１電極９２と第２電極９３の間で生じる放電は、主として突起５５２ｐと突起５６２ｐとの間で生じる。本実施形態のように突起５５２ｐ，５６２ｐがある場合には、突起が無い場合と比べて、第１電極９２および第２電極９３における放電位置（アーク位置）の移動を抑えることができる。
【００７０】
図６（Ａ）は、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００７１】
図６（Ｂ）は、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。
【００７２】
このように、放電灯９０に駆動電流Ｉが供給されることで、電子が衝突する陽極の温度は上昇する。一方、電子を放出する陰極は、陽極に向けて電子を放出している間、温度は低下する。
【００７３】
第１電極９２と第２電極９３との電極間距離は、突起５５２ｐ，５６２ｐの劣化とともに大きくなる。突起５５２ｐ，５６２ｐが損耗するためである。電極間距離が大きくなると、第１電極９２と第２電極９３との間の抵抗が大きくなるため、ランプ電圧Ｖｌａが大きくなる。したがって、ランプ電圧Ｖｌａを参照することによって、電極間距離の変化、すなわち、放電灯９０の劣化度合いを検出することができる。
【００７４】
なお、第１電極９２と第２電極９３とは、同様の構成であるため、以下の説明においては、代表して第１電極９２についてのみ説明する場合がある。また、第１電極９２の先端の突起５５２ｐと第２電極９３の先端の突起５６２ｐとは、同様の構成であるため、以下の説明においては、代表して突起５５２ｐについてのみ説明する場合がある。
【００７５】
次に、本実施形態の制御部４０による放電灯駆動部２３０の制御について説明する。
図７は、本実施形態の制御部４０による放電灯駆動部２３０の制御の手順を示すフローチャートである。
【００７６】
制御部４０は、放電灯９０の点灯開始（ステップＳ１）後、動作検出部６０の電圧検出部によってランプ電圧Ｖｌａを測定する（ステップＳ２）。そして、制御部４０は、測定したランプ電圧Ｖｌａが閾値電圧Ｖｌａ１以下か否かを判定する（ステップＳ３）。制御部４０は、測定したランプ電圧Ｖｌａが閾値電圧Ｖｌａ１以下であれば（ステップＳ３：ＹＥＳ）、放電灯駆動部２３０の制御方法を第１制御に設定する（ステップＳ４）。制御部４０は、測定したランプ電圧Ｖｌａが閾値電圧Ｖｌａ１より大きければ（ステップＳ３：ＮＯ）、放電灯駆動部２３０の制御方法を第２制御に設定する（ステップＳ５）。制御部４０は、設定された制御方法で放電灯駆動部２３０を制御する（ステップＳ６）。
【００７７】
第１制御および第２制御においては、放電灯９０に直流電流と交流電流とを含む駆動電流Ｉが供給される。第２制御における直流電流の割合は、第１制御における直流電流の割合よりも大きい。
【００７８】
図８（Ａ）〜図８（Ｃ）および図９（Ａ）〜（Ｃ）は、第１制御および第２制御における駆動電流波形の部分の一例を示す図である。図８（Ａ）〜図８（Ｃ）および図９（Ａ）〜（Ｃ）においては、縦軸は駆動電流Ｉを示しており、横軸は時間Ｔを示している。駆動電流Ｉは、第１極性状態である場合を正とし、第２極性状態となる場合を負として示している。
【００７９】
図８（Ａ）〜図８（Ｃ）および図９（Ａ）〜（Ｃ）に示す波形は、それぞれ単位時間ｔ１当たりの駆動電流波形である。以下の説明において、図８（Ａ）〜図８（Ｃ）および図９（Ａ）〜（Ｃ）のそれぞれにおいて示す駆動電流波形の部分を単位波形と呼ぶ。
【００８０】
本実施形態においては、図８（Ａ）〜図８（Ｃ）および図９（Ａ）〜（Ｃ）に示す各単位波形を組み合わせて第１制御および第２制御における駆動電流波形が構成される。
【００８１】
図８（Ａ）に示す単位波形ＤＷａ１は、放電灯９０に直流電流が供給される直流期間ＰＨ１１と、放電灯９０に直流期間ＰＨ１１と反対極性の電流が供給される反対極性期間ＰＨ２１と、を有する。
【００８２】
直流期間ＰＨ１１においては、一定の電流値Ｉｍを有する第１極性の駆動電流Ｉが放電灯９０に供給される。反対極性期間ＰＨ２１においては、一定の電流値−Ｉｍを有する第２極性の駆動電流Ｉが放電灯９０に供給される。
【００８３】
図８（Ｂ）に示す単位波形ＤＷｂ１および図８（Ｃ）に示す単位波形ＤＷｃ１は、電流値Ｉｍ１と電流値−Ｉｍ１との間で極性が複数回反転される交流電流の電流波形である。単位波形ＤＷｃ１における交流電流（第２交流電流）の周波数（第２周波数）は、単位波形ＤＷｂ１における交流電流（第１交流電流）の周波数（第１周波数）よりも低い。言い換えると、第１制御における交流電流および第２制御における交流電流は、第１周波数を有する第１交流電流と、第１周波数よりも低い第２周波数を有する第２交流電流と、を含む。
【００８４】
単位波形ＤＷｂ１における交流電流の周波数（第１周波数）は、例えば、５００Ｈｚ以上である。単位波形ＤＷｃ１における交流電流の周波数（第２周波数）は、例えば、２８０Ｈｚ以下である。単位波形ＤＷｂ１，ＤＷｃ１における交流電流の周波数をこのように設定することで、第１電極９２の突起５５２ｐを安定した形状に維持しやすい。
【００８５】
図９（Ａ）に示す単位波形ＤＷａ２は、放電灯９０に直流電流が供給される直流期間ＰＨ１２と、放電灯９０に直流期間ＰＨ１２と反対極性の電流が供給される反対極性期間ＰＨ２２と、を有する。単位波形ＤＷａ２は、極性が反転している点を除いて、単位波形ＤＷａ１と同様である。
【００８６】
図９（Ｂ）に示す単位波形ＤＷｂ２は、極性が反転している点を除いて、単位波形ＤＷｂ１と同様である。
図９（Ｃ）に示す単位波形ＤＷｃ２は、極性が反転している点を除いて、単位波形ＤＷｃ１と同様である。
【００８７】
本実施形態の第１制御においては、単位波形ＤＷａ１、単位波形ＤＷｂ１、単位波形ＤＷｃ１、単位波形ＤＷａ２、単位波形ＤＷｂ２、単位波形ＤＷｃ２がこの順で並ぶサイクルＣ１１が繰り返される。各単位波形は、一つのサイクルＣ１１内において、１回ずつ、あるいは複数回ずつ設けられる。第１制御のサイクルＣ１１の一例を表１に示す。
【００８８】
【表１】
0006547337.tif 000002
【００８９】
表１の例では、サイクルＣ１１は、単位波形ＤＷａ１が１回、単位波形ＤＷｂ１が１回、単位波形ＤＷｃ１が連続して１０００回、単位波形ＤＷａ２が１回、単位波形ＤＷｂ２が１回、単位波形ＤＷｃ２が連続して１０００回、この順で設けられる。
【００９０】
本実施形態の第２制御においては、第１制御と同様に、単位波形ＤＷａ１、単位波形ＤＷｂ１、単位波形ＤＷｃ１、単位波形ＤＷａ２、単位波形ＤＷｂ２、単位波形ＤＷｃ２がこの順で並ぶサイクルＣ２が繰り返される。各単位波形は、一つのサイクルＣ２内において、１回ずつ、あるいは複数回ずつ設けられる。第２制御のサイクルＣ２の一例を表２に示す。
【００９１】
【表２】
0006547337.tif 000003
【００９２】
表２の例では、サイクルＣ２は、単位波形ＤＷａ１が連続して４回、単位波形ＤＷｂ１が連続して１２回、単位波形ＤＷｃ１が連続して１回、単位波形ＤＷａ２が連続して４回、単位波形ＤＷｂ２が連続して１２回、単位波形ＤＷｃ２が連続して１回、この順で設けられる。
【００９３】
表１および表２に示すように、第２制御のサイクルＣ２における単位波形ＤＷａ１，ＤＷａ２の割合は、第１制御のサイクルＣ１１における単位波形ＤＷａ１，ＤＷａ２の割合よりも大きい。言い換えると、第２制御における直流電流、すなわち、直流期間ＰＨ１１，ＰＨ１２の割合は、第１制御における直流電流、すなわち、直流期間ＰＨ１１，ＰＨ１２の割合よりも大きい。
【００９４】
なお、本明細書において、第１制御または第２制御における直流電流の割合、とは、第１制御または第２制御が実行される実行時間に対する放電灯９０に直流電流が供給された時間の割合である。
【００９５】
図７に戻り、制御部４０は、設定された制御方法で放電灯駆動部２３０を制御し始めてから所定時間が経過したか否かを判定する（ステップＳ７）。制御部４０は、所定時間が経過していなければ（ステップＳ７：ＮＯ）、引き続き設定された制御方法で放電灯駆動部２３０を制御する。制御部４０は、所定時間が経過していれば（ステップＳ７：ＹＥＳ）、再びランプ電圧Ｖｌａを測定して（ステップＳ２）、制御方法の設定を行う（ステップＳ３〜ステップＳ５）。
【００９６】
すなわち、本実施形態においてランプ電圧Ｖｌａを測定（ステップＳ２）し、放電灯駆動部２３０の制御方法を設定する（ステップＳ３〜ステップＳ５）所定の設定タイミングは、所定時間ごとに設けられる。
【００９７】
所定の設定タイミングから次の所定の設定タイミングまでの所定時間は、６０ｓ（秒）以上に設定されることが好ましく、３００ｓ（秒）程度に設定されることがより好ましい。所定時間をこのように設定することで、第１制御と第２制御とをある程度長い時間ずつ実行することが可能であり、第１電極９２の突起５５２ｐを安定した形状に維持しやすい。
【００９８】
上述した制御部４０の制御について、さらに具体的に説明する。
放電灯９０の初期のランプ電圧Ｖｌａが６５Ｖの場合、閾値電圧Ｖｌａ１は、例えば、７０Ｖと設定される。放電灯９０の点灯初期においては、ランプ電圧Ｖｌａは、閾値電圧Ｖｌａ１以下である。そのため、制御部４０は、放電灯駆動部２３０の制御方法を、第１制御に設定し、第１制御によって放電灯駆動部２３０を制御する。
【００９９】
第１制御によって放電灯９０が長時間駆動されると、放電灯９０が劣化して突起５５２ｐが形成されにくくなり、電極間距離が大きくなる。これにより、ランプ電圧Ｖｌａが上昇する。そして、ランプ電圧Ｖｌａが閾値電圧Ｖｌａ１よりも大きくなると、制御部４０は、所定の設定タイミングにおいて、放電灯駆動部２３０の制御方法を第１制御から第２制御に設定する。
【０１００】
ここで、第２制御における直流電流の割合は、第１制御における直流電流の割合よりも大きい。そのため、第２制御においては、第１電極９２が溶融しやすく、第１制御に比べて、突起５５２ｐが形成されやすい。これにより、突起５５２ｐが成長して電極間距離が小さくなり、ランプ電圧Ｖｌａが小さくなる。そして、ランプ電圧Ｖｌａが閾値電圧Ｖｌａ１以下となると、制御部４０は、所定の設定タイミングにおいて、放電灯駆動部２３０の制御方法を再び第１制御に設定する。
【０１０１】
上記の第１制御および第２制御の設定が繰り返されることで、ランプ電圧Ｖｌａは、閾値電圧Ｖｌａ１を境にして上昇および下降を繰り返しつつ、閾値電圧Ｖｌａ１を中心とした一定の範囲内に維持される。
【０１０２】
上述した制御部４０による制御は、放電灯駆動方法として表すこともできる。すなわち、本実施形態の放電灯駆動方法は、放電灯９０に駆動電流Ｉを供給して、放電灯９０を駆動させる放電灯駆動方法であって、放電灯９０に直流電流と交流電流とを含む駆動電流Ｉを供給する第１制御および第２制御を含み、所定の設定タイミングにおいてランプ電圧Ｖｌａが閾値電圧Ｖｌａ１以下である場合、第１制御を実行し、所定の設定タイミングにおいてランプ電圧Ｖｌａが閾値電圧Ｖｌａ１よりも大きい場合、第２制御を実行し、第２制御における直流電流の割合は、第１制御における直流電流の割合よりも大きいことを特徴とする。
【０１０３】
本実施形態によれば、制御部４０は、第１制御と、第１制御よりも直流電流の割合が大きい第２制御と、を実行可能である。制御部４０は、ランプ電圧Ｖｌａに基づいて、第１制御または第２制御を設定して、放電灯駆動部２３０を制御する。そのため、本実施形態によれば、放電灯９０の寿命を向上できる。以下、詳細に説明する。
【０１０４】
例えば、複数の周波数の交流電流と直流電流とを組み合わせた駆動電流を放電灯９０に供給する場合、初期の段階では、突起５５２ｐが形成される。しかし、長時間の使用により放電灯９０が劣化するのに伴って、徐々に突起５５２ｐが形成されにくくなり、安定した電極形状が維持できなくなる場合がある。
【０１０５】
図１０（Ａ）〜図１０（Ｃ）は、放電灯９０の第１電極９２の変化を示す図である。図１０（Ａ）は、第１制御のみを用いて放電灯９０を長時間駆動した場合の第１電極９２を示す図である。図１０（Ｂ）は、第２制御のみを用いて放電灯９０を長時間駆動した場合の第１電極９２を示す図である。図１０（Ｃ）は、第１制御および第２制御を上記説明したように適宜設定して放電灯９０を長時間駆動した場合を示す図である。
【０１０６】
図１０（Ａ）に示すように、例えば、第１制御を用いて放電灯駆動部２３０を長時間制御し続けると、第１電極９２の突起５５２ｐが消失し、電極本体９２ａの先端が平坦な形状になる。
【０１０７】
一方、第２制御は、第１制御に比べて直流電流の割合が大きいため、第１電極９２が溶融しやすく、第１制御に比べると突起５５２ｐが成長しやすい。しかし、図１０（Ｂ）に示すように、第２制御を用いて放電灯駆動部２３０を長時間制御し続けると、第１電極９２の突起５５２ｐは形成されるが、電極本体９２ａが消耗して細くなる。
【０１０８】
このように、１つの制御方法、例えば、第１制御と第２制御とのうちのいずれかの制御方法を用いるだけでは、放電灯９０が長時間駆動されて劣化することで、第１電極９２の形状が不安定になり、結果として放電灯９０の寿命を十分に向上できない場合があった。
【０１０９】
これに対して、本実施形態によれば、ランプ電圧Ｖｌａが閾値電圧Ｖｌａ１以下であるか否かに応じて、第１制御と第２制御とが適宜設定され、第１制御と第２制御とが交互に繰り返される。そのため、本実施形態においては、図１０（Ｃ）に示すように、第１制御によって平坦化する電極本体９２ａの先端に、第２制御によって突起５５２ｐが形成される。これにより、本実施形態によれば、長時間駆動した場合であっても、第１電極９２の形状を安定して維持できる。
【０１１０】
以上により、本実施形態によれば、第１電極９２の突起５５２ｐの形状を安定して維持することができ、上述したようにして、ランプ電圧Ｖｌａを、閾値電圧Ｖｌａ１を中心とした一定の範囲内に長時間維持しやすい。その結果、本実施形態によれば、放電灯９０の寿命を向上できる。
【０１１１】
また、例えば、３Ｄ対応のプロジェクター等、放電灯９０に供給される駆動電力が変化するような場合、放電灯９０は特に劣化しやすい。そのため、放電灯９０に供給される駆動電力が変化するような場合において、本実施形態の効果は特に大きい。
【０１１２】
また、本実施形態によれば、第１制御および第２制御が設定される所定の設定タイミングは、所定時間ごとに設けられている。そのため、例えば、第１制御から第２制御に切り替わった直後にランプ電圧Ｖｌａが閾値電圧Ｖｌａ１以下となった場合であっても、第２制御に切り替わってから所定時間が経過するまでの間は、第２制御によって放電灯９０が駆動される。これにより、第１制御と第２制御とをそれぞれある程度の時間ずつ交互に実行することが可能であるため、第１電極９２の形状を安定した形状に維持しやすい。したがって、本実施形態によれば、放電灯９０の寿命をより向上できる。
【０１１３】
なお、本実施形態においては、以下の構成および方法を採用してもよい。
【０１１４】
本実施形態において、制御方法が設定される所定の設定タイミングは、プロジェクター５００の電源をＯＮにするごとに、一度ずつ設けられていてもよい。この場合、プロジェクター５００の電源がＯＮになってからＯＦＦになるまでの一度の期間においては、第１制御と第２制御とのうちのいずれか一方の制御のみで放電灯駆動部２３０が制御される。
【０１１５】
また、本実施形態においては、制御部４０は、閾値電圧Ｖｌａ１の値に基づいて、第１制御における単位波形ＤＷｂ１，ＤＷｂ２、すなわち、第１交流電流の割合と、第１制御における単位波形ＤＷｃ１，ＤＷｃ２、すなわち、第２交流電流の割合と、を調整する構成としてもよい。
【０１１６】
具体的には、制御部４０は、閾値電圧Ｖｌａ１が所定値以下である場合、表１に示したように、単位波形ＤＷｃ１，ＤＷｃ２の割合を単位波形ＤＷｂ１，ＤＷｂ２の割合よりも大きくする。制御部４０は、閾値電圧Ｖｌａ１が所定値よりも大きい場合、単位波形ＤＷｂ１，ＤＷｂ２の割合を単位波形ＤＷｃ１，ＤＷｃ２の割合よりも大きくする。所定値は、例えば、初期のランプ電圧Ｖｌａに対して＋５Ｖ程度の値である。
【０１１７】
上記表１に示した第１制御の例は、例えば、閾値電圧Ｖｌａ１が所定値以下である場合の例である。一方、閾値電圧Ｖｌａ１が所定値よりも大きい場合の第１制御の例を表３に示す。
【０１１８】
【表３】
0006547337.tif 000004
【０１１９】
表３の例では、第１制御のサイクルＣ１２は、単位波形ＤＷａ１が１回、単位波形ＤＷｂ１が連続して１０００回、単位波形ＤＷｃ１が１回、単位波形ＤＷａ２が１回、単位波形ＤＷｂ２が連続して１０００回、単位波形ＤＷｃ２が１回、この順で設けられる。
【０１２０】
上述したように、第１制御と第２制御とが交互に繰り返されることで、ランプ電圧Ｖｌａは、閾値電圧Ｖｌａ１を中心とした一定の範囲内に維持される。そのため、閾値電圧Ｖｌａ１が比較的小さい場合には、維持されるランプ電圧Ｖｌａが比較的小さくなる。すなわち、放電灯９０の第１電極９２は、劣化度合いが比較的小さい状態で維持される。この場合においては、第１制御において突起５５２ｐが過度に成長する虞があり、放電灯９０の第１電極９２の形状を安定して維持できない虞がある。
【０１２１】
これに対して、この構成によれば、閾値電圧Ｖｌａ１が比較的小さい場合、すなわち、所定値以下の場合には、表１に例示する第１制御のサイクルＣ１１において、単位波形ＤＷｂ１，ＤＷｂ２の割合よりも単位波形ＤＷｃ１，ＤＷｃ２の割合が大きく設定される。周波数が低い交流電流は第１電極９２に与える熱負荷が大きく、突起５５２ｐを溶融した状態にしやすい。そのため、単位波形ＤＷｂ１，ＤＷｂ２よりも周波数が低い単位波形ＤＷｃ１，ＤＷｃ２の割合を、単位波形ＤＷｂ１，ＤＷｂ２の割合よりも大きくすることで、突起５５２ｐが過度に成長することを抑制できる。
【０１２２】
一方、閾値電圧Ｖｌａ１が比較的大きい場合には、維持されるランプ電圧Ｖｌａが比較的大きくなる。すなわち、放電灯９０の第１電極９２は、劣化度合いが比較的大きい状態で維持される。この場合においては、第１電極９２の劣化が進みやすく、第１電極９２が過度に損耗する虞がある。
【０１２３】
これに対して、この構成によれば、閾値電圧Ｖｌａ１が比較的大きい場合、すなわち、所定値よりも大きい場合には、表３に例示する第１制御のサイクルＣ１２において、単位波形ＤＷｃ１，ＤＷｃ２の割合よりも単位波形ＤＷｂ１，ＤＷｂ２の割合が大きく設定される。そのため、単位波形ＤＷｃ１，ＤＷｃ２よりも周波数が高い単位波形ＤＷｂ１，ＤＷｂ２の割合を、単位波形ＤＷｃ１，ＤＷｃ２の割合よりも大きくすることで、突起５５２ｐが過度に損耗することを抑制できる。
【０１２４】
また、この構成による上記の効果は、単位波形ＤＷｂ１，ＤＷｂ２の周波数（第１周波数）が５００Ｈｚ以上、単位波形ＤＷｃ１，ＤＷｃ２の周波数（第２周波数）が２８０Ｈｚ以下、と設定される場合に、より大きく得られる。
【０１２５】
また、上記説明においては、第１制御および第２制御における駆動電流波形は、直流電流と周波数が異なる２種類の交流電流とからなる構成としたが、これに限られない。本実施形態において、第１制御および第２制御における駆動電流波形を構成する交流電流は１種類であってもよいし、周波数が互いに異なる３種類以上の交流電流を含んでいてもよい。また、本実施形態において、第１制御および第２制御における駆動電流波形を構成する直流電流は、２種類以上であってもよい。２種類以上の直流電流とは、放電灯９０に供給される電流値の絶対値が異なる２種類以上の直流電流を含む。
【０１２６】
なお、上記の実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１２７】
また、上記の実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【０１２８】
また、上記説明した各構成は、相互に矛盾しない範囲内において、適宜組み合わせることができる。
【符号の説明】
【０１２９】
１０…放電灯点灯装置（放電灯駆動装置）、４０…制御部、９０…放電灯、９２…第１電極（電極）、９３…第２電極（電極）、２００…光源装置、２３０…放電灯駆動部、３３０Ｒ，３３０Ｇ，３３０Ｂ…液晶ライトバルブ（光変調素子）、３５０…投射光学系、５００…プロジェクター、Ｉ…駆動電流、Ｖｌａ…ランプ電圧（電極間電圧）、Ｖｌａ１…閾値電圧
【図１】
0006547337.tif 000005
【図２】
0006547337.tif 000006
【図３】
0006547337.tif 000007
【図４】
0006547337.tif 000008
【図５】
0006547337.tif 000009
【図６】
0006547337.tif 000010
【図７】
0006547337.tif 000011
【図８】
0006547337.tif 000012
【図９】
0006547337.tif 000013
【図１０】
0006547337.tif 000014